(57)【特許請求の範囲】
【請求項１】
窓枠同士を連結する方立または無目である連結部材の、連結される前記窓枠の見付け面に対向する側の反対側で、前記連結部材の外側に設けられた、木製の第一内部枠体と、前記第一内部枠体の、前記連結部材により連結される前記窓枠の見込み方向に沿う方向では、連結される前記窓枠側に向かう、互いに対向して前記連結部材を挟み込んで伸びる前記第一内部枠体の屈曲部と、
前記第一内部枠体と前記連結部材との間に設けられ、前記連結部材に前記第一内部枠体を取り付ける支持部材と、を備え、
前記連結部材により連結される前記窓枠の見込み方向に沿う方向で、前記窓枠側に向かう、互いに対向して伸びる前記第一内部枠体の屈曲部同士の、前記窓枠の見込み方向に沿う長さが同じであるか、或いは異なり、
前記第一内部枠体の、互いに対向して前記連結部材を挟み込んで伸びる前記屈曲部の端部の両方、或いはいずれか一方には、連結される前記窓枠の見込み方向に沿って、木製の平板状の第二内部枠体が隣接して設けられ、
平板状の前記第二内部枠体と前記連結部材との間には、支持部材が設けられ、前記連結部材に平板状の前記第二内部枠体を取り付け、
前記第一内部枠体と前記第二内部枠体の内周面には、前記連結部材に前記第一内部枠体を取り付ける前記支持部材と、前記連結部材に平板状の前記第二内部枠体を取り付ける前記支持部材とが設けられ、
前記第一内部枠体を取り付ける前記支持部材と前記第二内部枠体を取り付ける前記支持部材とを前記連結部材の本体部に沿って取り付けることで、前記連結部材の室内側が前記第一内部枠体と前記第二内部枠体とで覆われ、
前記連結部材の本体部との間に断熱材を介装して、前記連結部材の先端部が取り付けられており、
前記連結部材の前記先端部は、連結される前記窓枠で覆われていることを特徴とするサッシ連結構造。
【請求項２】
前記第一内部枠体に前記第二内部枠体を隣接して設けるに際して、前記第一内部枠体の端部には、段部が設けられ、前記第一内部枠体の端部に隣接して対向している前記第二内部枠体の端部にも段部が設けられ、前記第一内部枠体の端部の段部と前記第二内部枠体の端部の段部とが係合することを特徴とする請求項１に記載のサッシ連結構造。
【請求項３】
前記第一内部枠体の、互いに対向して前記連結部材を挟み込んで伸びる前記屈曲部の端部に隣接して設けられる、それぞれの平板状の第二内部枠体同士は、連結される前記窓枠の見込み方向に沿う長さが同じであるか、或いは異なることを特徴とする請求項１又は２に記載のサッシ連結構造。
【請求項４】
窓枠同士を連結する方立または無目である連結部材の、連結される前記窓枠の見付け面に対向する側の反対側で、前記連結部材の外側に設けられた第一内部枠体と、前記第一内部枠体の、前記連結部材により連結される前記窓枠の見込み方向に沿う方向では、連結される前記窓枠側に向かう、互いに対向して前記連結部材を挟み込んで伸びる前記第一内部枠体の屈曲部と、
前記第一内部枠体と前記連結部材との間に設けられ、前記連結部材に前記第一内部枠体を取り付ける支持部材と、を備え、
前記連結部材により連結される前記窓枠の見込み方向に沿う方向で、前記窓枠側に向かう、互いに対向して伸びる前記第一内部枠体の屈曲部同士の、前記窓枠の見込み方向に沿う長さが同じであるか、或いは異なり、
前記第一内部枠体の、互いに対向して前記連結部材を挟み込んで伸びる前記屈曲部の端部の両方、或いはいずれか一方には、連結される前記窓枠の見込み方向に沿って、平板状の第二内部枠体が隣接して設けられ、
前記連結部材同士が交差するところでは、一方の前記連結部材に設けられた前記第一内部枠体の端面側を、他方の前記連結部材の長手方向に沿って、他方の前記連結部材に設けられた前記第一内部枠体の屈曲部の端部に隣接して設けられた複数の平板状の前記第二内部枠体で挟み込んでいることを特徴とするサッシ連結構造。
【発明の詳細な説明】
【技術分野】
【０００１】
本発明は、窓枠同士を連結するためのサッシ連結構造に関する。
【背景技術】
【０００２】
従来の連段窓サッシが図１１及び図１２に示されている。図１１に示す連窓サッシは、以下のような構成となっている。方立４２０には室内側に臨む室内面板４２５が一体的に形成され、この室内面板４２５はねじ受けホール部４２３の外側に当接する。これによれば、方立４２０の室内面板４２５が臨む左右額縁４１５，４５５間に、図示を省略したドライバ等の工具を挿入し、室内側から室内面板４２５とアタッチメント４２２とをねじ４２７で結合することができる。最後に、室内面板４２５が臨む左右額縁４１５、４５５間には、額縁４１５、４５５と同材質の木製覆い部材４２９が固定される（特許文献１）。
【０００３】
一方、図１２に示す段窓サッシは、以下のような構成となっている。上の窓枠１１０における下横枠１１０Ｂの無目１２０に面した面には、無目１２０の長手方向に延びる一対のリブ１３１が形成され、この一対のリブ１３１の内側に挟み込むようにアタッチメント１３２が取り付けられ、このアタッチメント１３２はねじ１４１により下横枠１１０Ｂに固定されている。このアタッチメント１３２は、無目１２０の長手方向にほぼ一杯に延びて、リブ１３１の内側に挟み込まれる基部１３２Ａと、室内側に臨むねじ受けホール部１３２Ｂを一体に備えて構成されている。また、下の窓枠１１０における上横枠１１０Ａの無目１２０に面した面には、無目１２０の長手方向に延びる一対のリブ１３３が形成され、この一対のリブ１３３の内側に挟み込むようにアタッチメント１３４が取り付けられ、このアタッチメント１３４はねじ１４３により下横枠１０Ｂに固定されている。
【０００４】
このアタッチメント１３４は、アタッチメント１３２と同一構造であり、共通化が図られている。一方、無目１２０には室内側に臨む室内面板２５が一体的に形成され、この室内面板１２５は上記ねじ受けホール部１３２Ｂ，１３４Ｂの外側に当接する。これによれば、無目１２０の室内面板１２５が臨む上下額縁１１５、１１５間に、図示を省略したドライバ等の工具を挿入し、室内側から室内面板１２５とアタッチメント１３２，１３４とをねじ１２７で結合することができる。最後に、室内面板１２５が臨む上下額縁１１５、１１５間には、額縁１１５と同材質の木製覆い部材１２９が固定される（特許文献２）。
【特許文献１】特開２００２−１９４９５１（段落００１８、００１９  図２）
【特許文献２】特開２００２−１９４９５２（段落００１２から段落００１７  図２）
【発明の開示】
【発明が解決しようとする課題】
【０００５】
図１１及び図１２に示す連段窓サッシでは、窓枠同士を連結（連窓、或いは段窓）し、室内側に木製等の内部部材（覆い部材１２９、４２９）を配設することで室内側からの見栄えをよくするとともに、室外側から室内側への熱の伝達を抑える効果がある。しかしながら、図１１及び図１２では、連結される窓枠同士の見込み方向の長さが同じであり、そのため、木製の内部部材（覆い部材１２９、４２９）の屈曲部１２９ｃ、４２９ｃ及び額縁４１５、４５５、１１５の見込み方向の長さも互いに同じ長さとなっている。それ故、連結される窓枠同士の見込み方向の長さが同じであれば、木製の内部部材（覆い部材１２９、４２９及び額縁４１５、４５５、１１５）を用いることはできるが、連結される窓枠同士の見込み方向の長さが異なると、図１１及び図１２に示す木製の内部部材（覆い部材１２９、４２９及び額縁４１５、４５５、１１５）を用いることは難しくなる。
【０００６】
本発明は、上記の事情に鑑みなされたものであり、連結される窓枠同士の見込み方向の長さ同じ場合でも、連結される窓枠同士の見込み方向の長さが異なる場合でも、窓枠同士の連結を可能にし、室内側の見栄えを確保し、室外側から室内側へ熱の伝達が行われ難いサッシ連結構造を提供することを目的とする。
【課題を解決するための手段】
【０００７】
上記の目的を達成するために、請求項１に記載の発明は、窓枠同士を連結する方立または無目である連結部材の、連結される前記窓枠の見付け面に対向する側の反対側で、前記連結部材の外側に設けられた、木製の第一内部枠体と、前記第一内部枠体の、前記連結部材により連結される前記窓枠の見込み方向に沿う方向では、連結される前記窓枠側に向かう、互いに対向して前記連結部材を挟み込んで伸びる前記第一内部枠体の屈曲部と、前記第一内部枠体と前記連結部材との間に設けられ、前記連結部材に前記第一内部枠体を取り付ける支持部材と、を備え、前記連結部材により連結される前記窓枠の見込み方向に沿う方向で、前記窓枠側に向かう、互いに対向して伸びる前記第一内部枠体の屈曲部同士の、前記窓枠の見込み方向に沿う長さが同じであるか、或いは異なり、前記第一内部枠体の、互いに対向して前記連結部材を挟み込んで伸びる前記屈曲部の端部の両方、或いはいずれか一方には、連結される前記窓枠の見込み方向に沿って、木製の平板状の第二内部枠体が隣接して設けられ、平板状の前記第二内部枠体と前記連結部材との間には、支持部材が設けられ、前記連結部材に平板状の前記第二内部枠体を取り付け、前記第一内部枠体と前記第二内部枠体の内周面には、前記連結部材に前記第一内部枠体を取り付ける前記支持部材と、前記連結部材に平板状の前記第二内部枠体を取り付ける前記支持部材とが設けられ、前記第一内部枠体を取り付ける前記支持部材と前記第二内部枠体を取り付ける前記支持部材とを前記連結部材の本体部に沿って取り付けることで、前記連結部材の室内側が前記第一内部枠体と前記第二内部枠体とで覆われ、前記連結部材の本体部との間に断熱材を介装して、前記連結部材の先端部が取り付けられており、前記連結部材の前記先端部は、連結される前記窓枠で覆われていることを特徴とする。
【０００８】
従って、請求項１に記載の発明によれば、方立または無目である連結部材と第一内部枠体との間に支持部材を設け、連結部材に第一内部枠体を取り付け、第一内部枠体から、第一内部枠体の屈曲部が窓、或いは窓枠の見込み方向に沿う方向に連結部材を挟み込んで伸びているため、室内側では連結部材が第一内部枠体により囲まれた状態になり、室外側から室内側へ熱の伝達が行われ難くすることが可能になるとともに、室内側へ出ている連結部材は第一内部枠体により囲まれているため、室内側から連結部材を見えなくすることが可能になる。
【０００９】
また、第一内部枠体の屈曲部同士の、前記窓枠の見込み方向に沿う長さを同じにすることで、見込み方向の長さが同じ窓枠同士を連結した連結部材の、室内側の連結される窓枠同士の見込み方向に沿う部分を第一内部枠体の屈曲部で囲み（覆い）室内側から連結部材を見えなくし、見込み方向の長さが同じ窓枠同士の連結を可能にする。また、第一内部枠体の屈曲部同士の、前記窓枠の見込み方向に沿う長さを異なるようにすることで、見込み方向の長さが異なる窓枠同士を連結した連結部材の、室内側の連結される窓枠同士の見込み方向に沿う部分を第一内部枠体の屈曲部で囲み（覆い）室内側から連結部材を見えなくし、見込み方向の長さが異なる窓枠同士の連結を可能にする。
【００１０】
さらに、第一内部枠体の、互いに対向して連結部材を挟み込んで伸びる屈曲部の端部の両方に、連結される前記窓枠の見込み方向に沿って、平板状の第二内部枠体が隣接して設けられているため、連結される窓枠同士の見込み方向の長さが同じ場合でも異なる場合でも、室内側では連結部材が第一内部枠体及び第二内部枠体により囲まれた（覆われた）状態になり、室外側から室内側へ熱を伝達し難くすることが可能になるとともに、室内側から連結部材を見えなくすることが可能になる。また、第一内部枠体の、互いに対向して前記連結部材を挟み込んで伸びる前記屈曲部の端部のいずれか一方に、連結される窓枠の見込み方向に沿って、平板状の第二内部枠体が隣接して設けられているため、室内側では連結部材が第一内部枠体及び第二内部枠体により囲まれた（覆われた）状態になり、室外側から室内側へ熱を伝達し難くすることが可能になるとともに、室内側から連結部材を見えなくすることが可能になる。
【００１１】
さらに、連結部材の本体部と、窓枠が取り付けられた室外部材と対向する連結部材の先端部との間に断熱材を介装しているので、室外側から室内側へ熱が伝達し難くなる。また、連結部材の先端部は、連結される窓枠で覆われることで、連結部材の先端部が直接外気に触れないので室外側から室内側へ熱が伝達し難くすることを可能にし、室外側から連結部材の先端部を見えなくすることが可能になる。
【００１２】
また、請求項２に記載の発明は、請求項１に記載の構成に加え、前記第一内部枠体に前記第二内部枠体を隣接して設けるに際して、前記第一内部枠体の端部には、段部が設けられ、前記第一内部枠体の端部に隣接して対向している前記第二内部枠体の端部にも段部が設けられ、前記第一内部枠体の端部の段部と前記第二内部枠体の端部の段部とが係合することを特徴とする。
【００１３】
従って、請求項２に記載の発明によれば、第一内部枠体の端部には、段部が設けられており、第一内部枠体の端部に隣接して対向している平板状の第二内部枠体の端部にも段部が設けられており、第一内部枠体の端部の端部の段部と、平板状の第二内部枠体の端部に段部を設けて係合させることで内部枠体同士の位置ズレ防止や、寸法精度を許容している。
【００１４】
さらに、請求項３に記載の発明は、請求項１又は２に記載の構成に加え、前記第一内部枠体の、互いに対向して前記連結部材を挟み込んで伸びる前記屈曲部の端部に隣接して設けられる、それぞれの平板状の第二内部枠体同士は、連結される前記窓枠の見込み方向に沿う長さが同じであるか、或いは異なることを特徴とする。
【００１５】
従って、請求項３に記載の発明によれば、第一内部枠体の、互いに対向して連結部材を挟み込んで伸びる屈曲部の端部に隣接して設けられる、それぞれの平板状の第二内部枠体同士は、連結される窓枠同士の見込み方向に沿う長さが同じになるか、或いは異なるため、連結される窓枠同士の見込み方向の長さにより、種々の平板状の第二内部枠体の中から適切な平板状の内部枠体を選ぶことにより、室内側で連結部材を第一内部枠体及び第二内部枠体により囲んだ状態にし、室外側から室内側へ熱を伝達し難くすることが可能になるとともに、室内側から連結部材を見えなくすることが可能になる。
【００１６】
さらに、請求項４に記載の発明は、窓枠同士を連結する方立または無目である連結部材の、連結される前記窓枠の見付け面に対向する側の反対側で、前記連結部材の外側に設けられた第一内部枠体と、前記第一内部枠体の、前記連結部材により連結される前記窓枠の見込み方向に沿う方向では、連結される前記窓枠側に向かう、互いに対向して前記連結部材を挟み込んで伸びる前記第一内部枠体の屈曲部と、前記第一内部枠体と前記連結部材との間に設けられ、前記連結部材に前記第一内部枠体を取り付ける支持部材と、を備え、前記連結部材により連結される前記窓枠の見込み方向に沿う方向で、前記窓枠側に向かう、互いに対向して伸びる前記第一内部枠体の屈曲部同士の、前記窓枠の見込み方向に沿う長さが同じであるか、或いは異なり、前記第一内部枠体の、互いに対向して前記連結部材を挟み込んで伸びる前記屈曲部の端部の両方、或いはいずれか一方には、連結される前記窓枠の見込み方向に沿って、平板状の第二内部枠体が隣接して設けられ、前記連結部材同士が交差するところでは、一方の前記連結部材に設けられた前記第一内部枠体の端面側を、他方の前記連結部材の長手方向に沿って、他方の前記連結部材に設けられた前記第一内部枠体の屈曲部の端部に隣接して設けられた複数の平板状の前記第二内部枠体で挟み込んでいることを特徴とする。
【００１７】
従って、請求項４に記載の発明によれば、方立または無目である連結部材と第一内部枠体との間に支持部材を設け、連結部材に第一内部枠体を取り付け、第一内部枠体から、第一内部枠体の屈曲部が窓、或いは窓枠の見込み方向に沿う方向に連結部材を挟み込んで伸びている。そのため、室内側では連結部材が第一内部枠体により囲まれた状態になり、室外側から室内側へ熱の伝達が行われ難くすることが可能になるとともに、室内側へ出ている連結部材は第一内部枠体により囲まれているため、室内側から連結部材を見えなくすることが可能になる。
【００１８】
また、第一内部枠体の屈曲部同士の、前記窓枠の見込み方向に沿う長さを同じにすることで、見込み方向の長さが同じ窓枠同士を連結した連結部材の、室内側の連結される窓枠同士の見込み方向に沿う部分を第一内部枠体の屈曲部で囲み（覆い）室内側から連結部材を見えなくし、見込み方向の長さが同じ窓枠同士の連結を可能にする。また、第一内部枠体の屈曲部同士の、前記窓枠の見込み方向に沿う長さを異なるようにすることで、見込み方向の長さが異なる窓枠同士を連結した連結部材の、室内側の連結される窓枠同士の見込み方向に沿う部分を第一内部枠体の屈曲部で囲み（覆い）室内側から連結部材を見えなくし、見込み方向の長さが異なる窓枠同士の連結を可能にする。
【００１９】
さらに、第一内部枠体の、互いに対向して連結部材を挟み込んで伸びる屈曲部の端部の両方に、連結される前記窓枠の見込み方向に沿って、平板状の第二内部枠体が隣接して設けられているため、連結される窓枠同士の見込み方向の長さが同じ場合でも異なる場合でも、室内側では連結部材が第一内部枠体及び第二内部枠体により囲まれた（覆われた）状態になり、室外側から室内側へ熱を伝達し難くすることが可能になるとともに、室内側から連結部材を見えなくすることが可能になる。また、第一内部枠体の、互いに対向して前記連結部材を挟み込んで伸びる前記屈曲部の端部のいずれか一方に、連結される窓枠の見込み方向に沿って、平板状の第二内部枠体が隣接して設けられているため、室内側では連結部材が第一内部枠体及び第二内部枠体により囲まれた（覆われた）状態になり、室外側から室内側へ熱を伝達し難くすることが可能になるとともに、室内側から連結部材を見えなくすることが可能になる。
【００２０】
また、連結部材同士が交差するところでは、一方の連結部材に設けられた第一内部枠体の端面側を、他方の連結部材の長手方向に沿って、他方の連結部材に設けられた第一内部枠体の屈曲部の端部に隣接して設けられた複数の平板状の第二内部枠体で挟み込んでいるため、一方の連結部材に設けられた第一内部枠体の端面と他方の連結部材に設けられた第一内部枠体の屈曲部の端部に隣接して設けられた複数の平板状の第二内部枠体との間の隙間を室内側から見えなくすることが可能になる。
【発明の効果】
【００２１】
本発明によれば、二種類の内部枠体（小型の断面略コ字状の内部枠体、平板状の内部枠体）を用いることで、構造物への窓枠同士の連結に際し、室内側から連結部材を見えなくし、室内側の見栄えを損なわない。また、二種類の内部枠体（小型の断面略コ字状の内部枠体、平板状の内部枠体）は、木製、或いは樹脂製であり、連結部材とは材質が異なるため、室外側から室内側へ熱が伝達し難くできる。
【００２２】
特に、窓枠同士の連結に際し、連結される窓枠同士の見込み方向の長さが異なり、室内側に連結部材が出ても平板状の内部枠体を用いることで、室内側から連結部材を見えなくし、室内側の見栄えを損なわない。この平板状の内部枠体は簡易な板状部材であるため、加工面が容易であるとともに、切り欠き等の特殊な加工部分が存在しないため、壊れにくく強度的にも安定している。また、連結部材の見込み方向において断熱材を介装しているので室外側から室内側への熱の伝達が行われ難い。
【発明を実施するための最良の形態】
【００２３】
以下、本発明を実施するための最良の形態について図面を参照して説明する。
【００２４】
（例１）
図１には本発明であるサッシ連結構造（窓枠）１を用いた２連２段の４連段窓形式の姿図が示されている。本例における窓１０は、ガラス１１ａが装着されたＦＩＸ（フィックス）窓１１、ガラス１２ａが装着されたＦＩＸ窓１２、引違い障子１３ａが装着された引違い窓１３、及びガラス１４ａが装着されたＦＩＸ窓１４よりなり、方立２及び無目７により、ＦＩＸ窓１１、ＦＩＸ窓１２、引違い障子１３、及びＦＩＸ窓１４を連結している。具体的には、図１に示すように、上段は、ＦＩＸ窓１１、ＦＩＸ窓１２で構成されており、下段は引違い窓１３、ＦＩＸ窓１４で構成されている。
【００２５】
そして、各窓１１、１２、１３、１４の上下方向の上枠１５及び下枠１６は両たて枠１７、１７が連結されている。また、上枠１５は、ＦＩＸ窓１１、１２を方立２で連結することにより構成されており、下枠１６は、引違い窓１３、ＦＩＸ窓１４を方立２で連結することにより構成されている。一方のたて枠１７は、ＦＩＸ窓１２、引違い窓１３を無目７で連結することにより構成されており、他方のたて枠１７は、ＦＩＸ窓１１、ＦＩＸ窓１４を無目７で連結することにより構成されている。ただし、本例でのＦＩＸ窓１１、１２、１４を開き窓にすることも可能であり、また、引違い窓１３についても、同様に、開き窓にすることも可能である。
【００２６】
つぎに本発明であるサッシ連結構造（窓枠）１について説明する。図２では、上段の、見込み方向の長さが同じである、ＦＩＸ窓１１、１２（ＦＩＸ窓１１、１２の窓枠）同士を連結している方立２であるサッシ連結構造１の断面方向を示している。図２に示すように、方立２の室内側（方立２の外側）には内部枠体２１が設けられており、長手方向は基本的には両たて枠１７、１７と同じ方向に伸びている（図１参照）。この内部枠体２１は、図２に示すように、ＦＩＸ窓１１、１２同士を連結する方立２（または無目７）の、連結されるＦＩＸ窓１１、１２（或いはＦＩＸ窓１１、１２の窓枠）の見付け面に対向する側の反対側で、方立本体２３の外側に設けられている。
【００２７】
室内側に設けられた小型の断面略コ字状の内部枠体（第一内部枠体）２１２は、図２に示すように、左右対称に直角に近い角度（本例では直角）に屈曲しており、二体の内部枠体２１２で構成されている。具体的には、断面略Ｌ字状に屈曲した、対称な形状をなす内部枠体２１２を組み合わせることにより、小型の断面略コ字状の形状を形成している。内部枠体２１２、２１２の組み合わせに際しては、内部枠体２１２の端部２１２ａには、図２に示すように、段部２１２ａ１と段部２１２ａ２により構成される段部が設けられている。そして、この内部枠体２１２の端部２１２ａの、段部２１２ａ１と段部２１２ａ２とが、対向する、内部枠体２１２の端部２１２ａの、段部２１２ａ１と段部２１２ａ２とに係合している。
【００２８】
そして、小型の断面略コ字状の内部枠体２１２、２１２では、ＦＩＸ窓１１、１２の見込み方向に沿い、連結されるＦＩＸ窓１１、１２に向かう、互いに対向して方立本体２３を挟み込んで、小型の断面略コ字状の内部枠体２１２、２１２の屈曲部２１２ｃが伸びている。本例では、図２に示すように、ＦＩＸ窓１１、１２の見込み方向に沿い、連結されるＦＩＸ窓１１、１２に向かう、互いに対向して方立本体２３を挟み込んで伸びる屈曲部２１２ｃの長さが同じである。ただし、連結されるＦＩＸ窓１１、１２の見込み方向の長さの違い等により、屈曲部２１２ｃ、２１２ｃのそれぞれの長さを異ならせることも可能である。
【００２９】
また、屈曲部２１２ｃ、２１２ｃの端部２１２ｂ、２１２ｂ（小型の断面略コ字状の内部枠体２１２、２１２の端部２１２ｂ、２１２ｂ）には、連結されるＦＩＸ窓１１、１２の見込み方向に沿って、平板状の内部枠体（第二内部枠体）２１１、２１１が隣接して設けられている。本例では、図２に示すように、平板状の内部枠体２１１、２１１の、連結されるＦＩＸ窓１１、１２の見込み方向に沿って伸びる長さが同じであるが、屈曲部２１２ｃ、２１２ｃと同様に、連結されるＦＩＸ窓１１、１２の見込み方向の長さの違い等により、連結されるＦＩＸ窓１１、１２の見込み方向に沿って伸びる長さを異ならせることも可能である。その場合、予め何種類かの見込み方向の長さの異なる平板状の内部枠体２１１を用意しておき、連結されるＦＩＸ窓１１、１２の見込み方向の長さに合わせて平板状の内部枠体２１１を選択することになる。
【００３０】
小型の断面略コ字状の内部枠体２１２の屈曲部２１２ｃの端部２１２ｂ側の断面方向の厚さと、小型の断面略コ字状の内部枠体２１２の端部２１２ｂ側と隣接する平板状の内部枠体２１１の断面方向の厚さは同じである。そして、この小型の断面略コ字状の内部枠体２１２の端部２１２ｂには、図２に示すように、段部２１２ｂ１と段部２１２ｂ２により構成される段部が設けられている。この小型の断面略コ字状の内部枠体２１２の端部２１２ｂに隣接して対向している平板状の内部枠体２１１の端部２１１ｂにも段部２１１ｂ１と段部２１１ｂ２により構成される段部が設けられている。
【００３１】
そして、図２に示すように、この小型の断面略コ字状の内部枠体２１２の端部２１２ｂの、段部２１２ｂ１と段部２１２ｂ２とが、平板状の内部枠体２１１の端部２１１ｂの、段部２１１ｂ１と段部２１１ｂ２とが係合している。小型の断面略コ字状の内部枠体２１２の端部２１２ｂと、平板状の内部枠体２１１の端部２１１ｂとに段部を設けて係合させることで内部枠体２１同士の位置ズレ防止や、寸法精度を許容している。以上のようにして、内部枠体２１は、室内側に面したところに小型の断面略コ字状の内部枠体２１２、２１２と、この小型の断面略コ字状の内部枠体２１２、２１２に隣接して（小型の断面略コ字状の内部枠体２１２、２１２の端部２１２ｂ、２１２ｂに隣接して）設けられた平板状の内部枠体２１１、２１１と、で構成されている。本例では、内部枠体２１は、木製であるが、木製に限定されることなく、例えば、樹脂製であってもよい。
【００３２】
この内部枠体２１の内周面２１ａには、支持部材２２が設けられている。具体的には、図３に示すように、内部枠体２１２に沿うように支持部材２２２が設けられており、内部枠体２１１に沿うように支持部材２２１が設けられている。支持部材２２２は、図３に示すように、断面略Ｌ字状の内部枠体２１２の内周面２１ａに全て接触するのではなく部分的に接触するような形状をなしている。そして、支持部材２２２の内部枠体２１２に接触する位置で支持部材２２２を内部枠体２１２に取り付けるためにビス等の固定具３で内部枠体２１２に支持部材２２２を取り付けている。
【００３３】
本例では、図３に示すように、内部枠体２１２への支持部材２２２の取り付けに際して、支持部材２２２が内部枠体２１２に二箇所で接触しているため、その二箇所に固定具３を用いている。具体的には、図２及び図３に示すように、内部枠体２１２の端部２１２ａ、２１２ｂ側にそれぞれ一箇所ずつ内部枠体２１２と支持部材２２２とが接触している。ただし、支持部材２２２が内部枠体２１２に接触する箇所は二箇所に限定されることなく、内部枠体２１２等の形状、大きさ等により接触する箇所の数も変わり、取り付けのための固定具３の数も変わる。
【００３４】
内部枠体２１２の端部２１２ａ側に対応する、支持部材２２２の端部２２２ａ側の、固定具３が取り付けられるところでは固定具３を囲むように、支持部材２２２の長手方向に沿って、爪部２２２ｃが設けられている。爪部２２２ｃは、図３に示す断面方向からは、固定具３（の頭部３ａ）を挟み込んでおり、爪部２２２ｃと支持部材２２２とで断面略コ字状の形状をなしている。また、爪部２２２ｃの先端は、固定具３の頭部３ａよりも高い位置まで伸びている。そして、支持部材２２２は、内部枠体２１２の端部２１２ｂ側に対応する、支持部材２２２の端部２２２ｂ側では、内部枠体２１２と接触している箇所で固定具３により内部枠体２１２に取り付けられている。そして、支持部材２２２は、内部枠体２１２の端部２１２ｂ側では、内部枠体２１２の端部２１２ｂを超えて内部枠体２１１側へ伸びている。
【００３５】
内部枠体２１２、２１２の端部２１２ｂ、２１２ｂに隣接して設けられた内部枠体２１１、２１１には、内部枠体２１２に沿うように、支持部材２２１が設けられている。支持部材２２１は、図３に示すように、実質的には平板状の部材であり、内部枠体２１１の内周面２１ａに概ね接触している。そして、支持部材２２１の端部２２１ａ、２２１ｂ側で固定具３により支持部材２２１を内部枠体２１１に取り付けている。本例では、支持部材２２１の二箇所の位置で内部枠体２１１に取り付けているが、二箇所に限定されず、支持部材２２１及び内部枠体２１１の形状、大きさにより適切な数の箇所で取り付けることになる。
【００３６】
支持部材２２１の端部２２１ａ、２２１ｂは、図３に示すように、内部枠体２１１側とは反対側に屈曲されて伸びており、その端部２２１ａ、２２１ｂには、内部枠体２１１と平行方向に開いた凹部２２１ｃが設けられている。そして、支持部材２２１、２２１と重なり合うように支持部材２２３、２２３が設けられている。支持部材２２３、２２３は、断面略Ｃ字状の形状をなして、長手方向は両たて枠１７、１７と同じ方向に伸びている。この支持部材２２３の端部２２３ａ、２２３ｂは支持部材２２１の凹部２２１ｃ、２２１ｃと嵌合している。また、支持部材２２２、２２２の端部２２２ｂ、２２２ｂは、支持部材２２３の端部２２３ａ側に近接又は当接している。以上のようにして、支持部材２２（支持部材２２１、２２２、２２３）は内部枠体２１（内部枠体２１１、２１２）内に設けられている。本例では、支持部材２２（支持部材２２１、２２２、２２３）はアルミ製であるが、アルミ製に限定されることなく、例えば、樹脂製等であってもよい。
【００３７】
そして、この支持部材２２が方立本体２３に取り付けられている。方立本体２３は、図４に示すように、断面略Ｔ字状の形状をなしており、長手方向は両たて枠１７、１７と同じ方向に伸びている。この方立本体２３は先端部２３１と本体部２３２とから構成されている。方立本体２３の本体部２３２の内部は、隙間部２３２ｃが形成されている。支持部材２２（支持部材２２１、２２２、２２３）は、方立本体２３の本体部２３２に沿っている。そして、方立本体２３の本体部２３２の端部２３２ａである支持部材２２２側には、断面略コ字状の爪部２３２ｄが一対設けられている。この一対の断面略コ字状の爪部２３２ｄは、支持部材２２２、２２２の断面略コ字状の爪部２２２ｃ、２２２ｃを覆って、断面略コ字状の爪部２２２ｃ、２２２ｃに嵌合している。
【００３８】
また、支持部材２２２、２２２の端部２２２ｂ、２２２ｂ側では、固定具３により、支持部材２２２、２２２の端部２２２ｂ、２２２ｂ側を方立本体２３の本体部２３２に取り付けている。さらに、方立本体２３の本体部２３２の端部２３２ｂ側では、方立本体２３の本体部２３２の端部２３２ｂ側に接触している支持部材２２３、２２３の平板部２２３ｃ、２２３ｃを、方立本体２３の本体部２３２に固定具３により取り付けている。以上のようにして、支持部材２２（支持部材２２１、２２２、２２３）が、内部枠体２１（内部枠体２１１、２１２）と方立本体２３（本体部２３２）との間に設けられ、支持部材２２（支持部材２２１、２２２、２２３）が、方立本体２３（本体部２３２）側に取り付けられるともに、内部枠体２１（内部枠体２１１、２１２）側に取り付けられることで、方立本体２３（本体部２３２）に内部枠体２１（内部枠体２１１、２１２）を取り付けている。
【００３９】
方立本体２３の本体部２３２の端部２３２ｂ側には、方立本体２３の先端部２３１が設けられている。先端部２３１は、本体部２３２と分離された別部材となっている。また、先端部２３１は、図４に示すように、平板部２３１ｂを備え、その平板部２３１ｂ上に並列に断面略コ字状の嵌合部２３１ａが設けられている。そして、先端部２３１の本体部２３２の端部２３２ｂへの取り付けでは、並列にある断面略コ字状の嵌合部２３１ａが室外側を向くようにして、先端部２３１の平板部２３１ｂと本体部２３２の端部２３２ｂとの間に断熱材４を挟み込んで固定具３で取り付けている（本体部２３２と先端部２３１との間に断熱材４が介装されている）。
【００４０】
つぎに、方立本体２３、支持部材２２、及び内部枠体２１の組立手順及び取付手順について図４に基づいて説明する。まず、支持部材２２３、２２３をＦＩＸ窓１１、１２のたて枠１７を構成する室内部材６、６に固定具３により取り付ける。小型の断面略コ字状の内部枠体２１２、２１２に支持部材２２２、２２２を固定具３により取り付ける。また、小型の断面略コ字状の内部枠体２１２、２１２に隣接する平板状の内部枠体２１１、２１１に支持部材２２１、２２１を固定具３により取り付ける。これにより、方立本体２３の本体部２３２に小型の断面略コ字状の内部枠体２１２、２１２及び平板状の内部枠体２１１、２１１が取り付けられる状態になる。
【００４１】
つぎに、方立２３の本体部２３２に、支持部材２２３、２２３が取り付けられたたて枠１７、１７、支持部材２２２、２２２が取り付けられた小型の断面略コ字状の内部枠体２１２、２１２及び支持部材２２１、２２１が取り付けられた平板状の内部枠体２１１、２１１を取り付ける（取付手順）。まず、方立本体２３の先端部２３１の平板部２３１ｂに設けられた断面略コ字状の嵌合部２３１ａ、２３１ａと、ＦＩＸ窓１１、１２のたて枠１７を構成する室外部材５の突出部５３、５３とを嵌合させ、方立本体２３の本体部２３２に支持部材２２３を固定具３により取り付ける。そして、小型の断面略コ字状の内部枠体２１２、２１２に取り付けられた支持部材２２２、２２２を方立本体２３の本体部２３２に固定具３により取り付ける。最後に、平板状の内部枠体２１１、２１１に取り付けられた支持部材２２１、２２１の凹部２２１ｃ、２２１ｃを支持部材２２３、２２３の端部２２３ａ、２２３ｂと嵌合する。以上により、方立本体２３の本体部２３２への小型の断面略コ字状の内部枠体２１２、２１２及び平板状の内部枠体２１１、２１１の取り付けが完了する。
【００４２】
方立本体２３の先端部２３１には、室外部材５、５が取り付けられている。室外部材５の端部５ａ側では、方立本体２３の先端部２３１の断面略コ字状の嵌合部２３１ａと嵌合する突出部５３が形成され、断面略コ字状の嵌合部２３１ａと嵌合している。また、室外部材５の端部５ａには、断面略コ字状の突出部５２が形成されている。
【００４３】
この室外部材５の断面略コ字状の突出部５２は、図４に示すように、室内部材６と対向している。室内部材６は、図３及び図４に示すように、断面略Ｔ字状の形状をなしており、室内部材６の端部６ａ側では、室内部材６の端面６２と、支持部材２２３の端面２２３ｄとが接触しており、端面６２と端面２２３ｄとが固定具３により取り付けられている。端面６２、６２より屈曲している端面６３、６３は方立本体２３の本体部２３２を挟み込んでいる。また、端面６２、６２は、図４に示すように、内部枠体２１１、２１１まで伸びている。さらに、室内部材６の端部６ｂ側では、断面略コ字状の突出部６１が設けられている。そして、室外部材５の端部５ａの断面略コ字状の突出部５２と室内部材６の端部６ｂの断面略コ字状の突出部６１との間には断熱材４が挟み込まれている（室外部材５と室内部材６との間には断熱材４が介装されている）。
【００４４】
以上のように、図２から図４に示すように、見込み方向の長さが同じである、連窓サッシ（ＦＩＸ窓１１、１２）同士を連結し支持するための、連結部材（方立本体２３）、支持部材２２、及び内部枠体２１によりなるサッシ連結構造１は構成されている。
【００４５】
つぎに、下段の、見込み方向の長さが異なる、引違い窓１３とＦＩＸ窓１４（引違い窓１３の窓枠とＦＩＸ窓１４の窓枠）同士を連結している方立２について説明する。基本的な構成は、見込み方向の長さが同じである、連窓サッシ（ＦＩＸ窓１１、１２）同士を連結している方立２と同じである。そのため、見込み方向の長さが同じである、ＦＩＸ窓１１、１２同士を連結している方立２の構成と異なる部分を中心に図５に基づいて説明する。
【００４６】
図５においても、図２乃至図４と同様に、断面略Ｌ字状に屈曲した、対称な形状をなす内部枠体２１２を組み合わせることにより、小型の断面略コ字状の内部枠体（第一内部枠体）２１２を形成している。具体的には、小型の断面略コ字状の内部枠体２１２、２１２の屈曲部２１２ｃ、２１２ｃが、互いに対向して方立本体２３を挟み込むように伸びている。本例では、図５に示すように、引違い窓１３、ＦＩＸ窓１４の見込み方向に沿い、連結される引違い窓１３、ＦＩＸ窓１４に向かう、互いに対向して方立本体２３を挟み込んで伸びる屈曲部２１２ｃの長さが同じである。
【００４７】
また、屈曲部２１２ｃ、２１２ｃの端部には、連結されるＦＩＸ窓１４、引き違い窓１３の見込み方向に沿って、平板状の内部枠体（第二内部枠体）２１３、２１４が隣接して設けられている。図５に示すように、引違い窓１３の見込み方向に沿って設けられた平板状の内部枠体２１４と、ＦＩＸ窓１４の見込み方向に沿って設けられた平板状の内部枠体２１３との断面方向の長さは異なっており、それぞれ内部枠体２１３、２１４は引違い窓１３、ＦＩＸ窓１４の見込み方向に沿って、引違い窓１３、ＦＩＸ窓１４に当接する位置まで伸びている。そのため、本例では、平板状の内部枠体２１４の断面方向の長さは平板状の内部枠体２１３より短くなっている。以上のようにして、内部枠体２１は、室内側に面したところに小型の断面略コ字状の内部枠体２１２、２１２と、この小型の断面略コ字状の内部枠体２１２、２１２に隣接して設けられた、断面方向の長さの異なる平板状の内部枠体２１３、２１４と、で構成されている。
【００４８】
この内部枠体２１の内周面２１ａには、支持部材２２が取り付けられている。図５に示すように、内部枠体２１２に沿うように支持部材２２２が設けられている。また、内部枠体２１３に沿うように支持部材２２４が設けられており、内部枠体２１４に沿うように支持部材２２５が設けられている。支持部材２２４は内部枠体２１３に対応した断面方向の長さになっており、支持部材２２５は内部枠体２１４に対応した断面方向の長さになっている。そして、内部枠体２１３、２１４に設けられた支持部材２２４、２２５と重なり合うように支持部材２２６、２２７が設けられている。
【００４９】
具体的には、図５に示すように、支持部材２２４と支持部材２２６とが重なり合い、支持部材２２５と支持部材２２７とが重なり合っている。支持部材２２６、２２７は、断面略Ｃ字状の形状をなしており、支持部材２２６、２２７端部は支持部材２２４、２２５の端部と嵌合し、支持部材２２６、２２７には、支持部材２２２、２２２の端部が向かい合っている。以上のようにして、支持部材２２（支持部材２２２、２２４、２２５、２２６、２２７）は内部枠体２１（内部枠体２１２、２１３、２１４）内に設けられている。
【００５０】
そして、この支持部材２２が方立本体２３に取り付けられている。方立本体２３は、図５に示すように、図２に示す方立本体２３と同じである。図２と同様、図５においても方立本体２３の本体部２３２に、支持部材２２（支持部材２２２、２２４、２２５、２２６、２２７）が沿っている。この方立本体２３の本体部２３２の端部２３２ａ側では、固定具３、３により、支持部材２２２、２２２が小型の断面略コ字状の内部枠体２１２、２１２に取り付けられており、また端部２３２ｂ側では、固定具３、３により、支持部材２２６、２２７が平板状の内部枠体２１３、２１４に取り付けられている。
【００５１】
以上のようにして、支持部材２２（支持部材２２２、２２４、２２５、２２６、２２７）が、内部枠体２１（内部枠体２１２、２１３、２１４）と方立本体２３（本体部２３２）との間に設けられ、固定具３により、支持部材２２（支持部材２２２、２２４、２２５、２２６、２２７）が、方立本体２３（本体部２３２）側に取り付けられるともに、内部枠体２１（内部枠体２１２、２１３、２１４）側に取り付けられることで、方立本体２３（本体部２３２）に内部枠体２１（内部枠体２１２、２１３、２１４）を取り付けている。
【００５２】
方立本体２３の本体部２３２の端部２３２ｂ側には、方立本体２３の先端部２３１が設けられている。先端部２３１は本体部２３２の端部２３２ｂとの間に断熱材４を挟み込んで固定具３で取り付けられている（本体部２３２と先端部２３１との間に断熱材４が介装されている）。方立本体２３の先端部２３１には、断面略コ字状の嵌合部２３１ａが形成され、室外部材５突出部５３と嵌合し、方立２３の先端部２３１に室外部材５、５が取り付けられている。この室外部材５、５に隣接する室内部材６の端部側では、室内部材６の端面６２が支持部材２２６、２２７の端面２２６ｄ、２２７ｄと接触し、固定具３により取り付けられている。
【００５３】
端面６２、６２より屈曲している端面６３、６３は方立本体２３の本体部２３２を挟み込んでいる。また、端面６２、６２は、図５に示すように、内部枠体２１３、２１４まで伸びている。さらに、室内部材６の端部６ｂに設けられた断面略コ字状の突出部６１と室外部材５の端部５ａの断面略コ字状の突出部５２との間には断熱材４が挟み込まれている。以上が方立２であるサッシ連結構造１の構成である。
【００５４】
つぎに、方立本体２３、支持部材２２、及び内部枠体２１の組立手順及び取付手順について図５に基づいて説明する。まず、支持部材２２６、２２７を引違い窓１３、ＦＩＸ窓１４のたて枠１７を構成する室内部材６、６に固定具３により取り付ける。小型の断面略コ字状の内部枠体２１２、２１２に支持部材２２２、２２２を固定具３により取り付ける。また、小型の断面略コ字状の内部枠体２１２、２１２に隣接する平板状の内部枠体２１３、２１４に支持部材２２４、２２５を固定具３により取り付ける。これにより、方立本体２３の本体部２３２に小型の断面略コ字状の内部枠体２１２、２１２及び平板状の内部枠体２１３、２１４に取り付けられる状態になる。
【００５５】
つぎに、方立２３の本体部２３２に、支持部材２２６、２２７が取り付けられたたて枠１７、１７、支持部材２２２、２２２が取り付けられた小型の断面略コ字状の内部枠体２１２、２１２及び支持部材２２４、２２５が取り付けられた平板状の内部枠体２１３、２１４を取り付ける（取付手順）。まず、方立本体２３の先端部２３１の平板部２３１ｂに設けられた断面略コ字状の嵌合部２３１ａ、２３１ａと室外部材５の突出部５３、５３とを嵌合させ、方立本体２３の本体部２３２に支持部材２２６、２２７を固定具３により取り付ける。そして、小型の断面略コ字状の内部枠体２１２、２１２に取り付けられた支持部材２２２、２２２を方立本体２３の本体部２３２に固定具３により取り付ける。最後に、平板状の内部枠体２１３に取り付けられた支持部材２２４の凹部２２４ａ、２２４ａを支持部材２２６の端部２２６ａ、２２６ａと嵌合する。また、平板状の内部枠体２１４に取り付けられた支持部材２２５の端部２２５ａを支持部材２２７の端部２２７ａと嵌合する。以上により、方立本体２３の本体部２３２への小型の断面略コ字状の内部枠体２１２、２１２及び平板状の内部枠体２１３、２１４の取り付けが完了する。
【００５６】
また、連結部材である方立本体２３の先端部２３１は、図４及び図５に示すように、連結される窓枠のたて枠１７、１７で覆われている。本例では、連結されるＦＩＸ窓１１、１２に向き合っているのが内部枠体２１１、２１１（内部枠体２１３、２１４）であるが、連結されるＦＩＸ窓１１等の種類によっては、向き合っているのが小型の断面略コ字状の内部枠体２１２、２１２同士、或いは平板状の内部枠体２１１等、小型の断面略コ字状の内部枠体２１２の場合もあり得る。また、本例では、方立本体２３（本体部２３２、先端部２３１）はアルミ製である。
【００５７】
つぎに、方立２と交差している無目７であるサッシ連結構造１について図６に基づいて説明する。図６では、見込み方向の長さが同じである、ＦＩＸ窓１１、１４（ＦＩＸ窓１１、１４の窓枠）同士を連結している無目７について示している。無目７であるサッシ連結構造１の基本的な構成は、方立２であるサッシ連結構造１と同じであるが、この無目７であるサッシ連結構造１では、平板状の内部枠体を用いていない。
【００５８】
図６においても、図２乃至図５と同様に、断面略Ｌ字状に屈曲した、対称な形状をなす内部枠体７１１、７１１を組み合わせることにより、小型の断面略コ字状の内部枠体（第一内部枠体）７１を形成している。本例では、図６に示すように、ＦＩＸ窓１１、１４の見込み方向に沿い、連結されるＦＩＸ窓１１、１４に向かう、互いに対向して無目本体７３を挟み込んで伸びる屈曲部７１１ｃ、７１１ｃの長さが同じである。そして、この内部枠体７１の内周面７１ａ側には、支持部材７２１、７２２、７２３が設けられている。図６に示すように、内部枠体７１１に沿うように支持部材７２１が取り付けられ、内周面７１ａ側の無目本体７３の本体部７３２に沿うように、支持部材７２２、７２３が取り付けられている。また、無目本体７３の本体部７３２には、先端部７３１が断熱材４を介して取り付けられている。
【００５９】
以上のようにして、支持部材７２（支持部材７２１、７２２、７２３）が、内部枠体７１（内部枠体７１１）と無目本体７３（本体部７３２）との間に設けられ、固定具３により、支持部材７２（支持部材７２１、７２２、７２３）が無目本体７３（本体部７３２）側に取り付けられるともに、内部枠体７１（内部枠体７１１）側に取り付けられることで、無目本体７３（本体部７３２）に内部枠体７１（内部枠体７１１）を取り付けている。さらに、無目本体７３の先端部７３１の断面略コ字状の嵌合部７３１ａ、７３１ａは室外部材８の突出部８３、８３に嵌合している。そして、断熱材４を介して、室外部材８に隣接して設けられた室内部材９が、固定具３により、支持部材７２２、７２３に取り付けられている。
【００６０】
つぎに、無目本体７３、支持部材７２、及び内部枠体７１の組立手順及び取付手順について図６に基づいて説明する。まず、支持部材７２２、７２３をＦＩＸ窓１１、ＦＩＸ窓１４の上枠１５、下枠１６を構成する室内部材９、９に固定具３により取り付ける。小型の断面略コ字状の内部枠体７１１、７１１に支持部材７２１を固定具３により取り付ける。これにより、無目本体７３の本体部７３２に小型の断面略コ字状の内部枠体７１１、７１１が取り付けられる状態になる。
【００６１】
つぎに、無目本体７３の本体部７３２に、支持部材７２２、７２３が取り付けられた上枠１５、下枠１６、支持部材７２１が取り付けられた小型の断面略コ字状の内部枠体７１１、７１１を取り付ける（取付手順）。まず、無目本体７３の先端部７３１に設けられた断面略コ字状の嵌合部７３１ａ、７３１ａと室外部材８の突出部８３、８３とを嵌合させ、無目本体７３の本体部７３２に支持部材７２２、７２３を固定具３により取り付ける。そして、小型の断面略コ字状の内部枠体７１１、７１１に取り付けられた支持部材７２１の端部７２１ａと無目本体７３の本体部７３２の断面略コ字状の凹部７３２ａとを嵌合する。以上により、無目本体７３の本体部７３２への小型の断面略コ字状の内部枠体７１１の取り付けが完了する。
【００６２】
つぎに、見込み方向の長さが異なる、ＦＩＸ窓１２と引違い窓１３（ＦＩＸ窓１２と引違い窓１３の窓枠）同士を連結している無目７であるサッシ連結構造１について説明する。図７に示す無目７も図６に示す構成と基本的には同じであり、平板状の内部枠体を用いていない。
【００６３】
図７においても、図６と同様に、断面略Ｌ字状に屈曲した、対称な形状をなす内部枠体７６１、７６１を組み合わせることにより、小型の断面略コ字状の内部枠体（第一内部枠体）７６を形成している。本例では、図７に示すように、ＦＩＸ窓１２、引違い窓１３の見込み方向に沿い、連結されるＦＩＸ窓１２、引違い窓１３に向かう、互いに対向して無目本体７３を挟み込んで伸びる屈曲部７６１ｃ、７６１ｃの長さがＦＩＸ窓１２、引違い窓１３の見込み方向に対応して異なっている。
【００６４】
そして、内部枠体７６の内周面７６ａ側には、支持部材７２１、７２３が設けられている。図７に示すように、内部枠体７６１に沿うように支持部材７２１が取り付けられ、内周面７６ａ側の無目本体７３の本体部７３２に沿うように、無目本体７３の本体部７３２に支持部材７２３が取り付けられている。さらに、無目本体７３の本体部７３２には、先端部７３１が断熱材４を介して取り付けられている。
【００６５】
以上のようにして、支持部材７２（支持部材７２１、７２３）が、内部枠体７６（内部枠体７６１）と無目本体７３（本体部７３２）との間に設けられ、固定具３により、支持部材７２（支持部材７２１、７２３）が無目本体７３（本体部７３２）側に取り付けられるともに、内部枠体７１（内部枠体７１１）側に取り付けられることで、無目本体７３（本体部７３２）に内部枠体７６（内部枠体７６１）を取り付けている。さらに、無目本体７３の先端部７３１の断面略コ字状の嵌合部７３１ａ、７３１ａは室外部材８の突出部８３、８３に嵌合している。そして、断熱材４を介して、室外部材８に隣接して設けられた室内部材９が、固定具３により、支持部材７２３に取り付けられている。
【００６６】
つぎに、無目本体７３、支持部材７２、及び内部枠体７６の組立手順及び取付手順について図７に基づいて説明する。まず、支持部材７２３をＦＩＸ窓１４の下枠１６を構成する室内部材９に固定具３により取り付ける。小型の断面略コ字状の内部枠体７６１、７６１に支持部材７２１を固定具３により取り付ける。これにより、無目本体７３の本体部７３２に小型の断面略コ字状の内部枠体７２１が取り付けられる状態になる。
【００６７】
つぎに、無目本体７３の本体部７３２に、支持部材７２３が取り付けられたＦＩＸ窓１４の下枠１６、引違い窓１３の上枠１５、支持部材７２１が取り付けられた小型の断面略コ字状の内部枠体７６１、７６１を取り付ける（取付手順）。まず、無目本体７３の先端部７３１に設けられた断面略コ字状の嵌合部７３１ａ、７３１ａと室外部材８の突出部８３、８３とを嵌合させ、無目本体７３の本体部７３２に支持部材７２３を固定具３により取り付ける。また、無目本体７３の本体部７３２に引違い窓１３の上枠１５を固定具３により取り付ける。そして、小型の断面略コ字状の内部枠体７６１、７６１に取り付けられた支持部材７２１の端部７２１ａと無目本体７３の本体部７３２の断面略コ字状の凹部７３２ａとを嵌合する。以上により、無目本体７３の本体部７３２への小型の断面略コ字状の内部枠体７６１、７６１の取り付けが完了する。
【００６８】
なお、連結部材である無目本体７３の先端部７３１は、図６及び図７に示すように、連結される窓枠の上枠１５、下枠１６で覆われている。本例では、連結されるＦＩＸ窓１１、１２、１４、引違い窓１３に向き合っているのが内部枠体７１１、７６１であるが、連結されるＦＩＸ窓１１等の種類によっては、向き合っているのが平板状の内部枠体同士、或いは小型の断面略コ字状の内部枠体７１１、７６１と平板状の内部枠体の場合もあり得る。また、本例では、無目本体７３（本体部７３２、先端部７３１）はアルミ製である。
【００６９】
つぎに、図１に示す、連結部材である方立２と連結部材である無目７の交差する矢印Ｅで示す位置の構成について説明する。図８には、矢印Ｅで示す位置を図１の矢印Ｆ方向から見た内部枠体２１、７６、２１１、２１２、２１４の構成が示されている。ここでは、内部枠体２１、７６内に取り付けられている、方立本体２３、無目本体７３、及び内部枠体２１、７６と方立本体２３、無目本体７３との間に設けられる支持部材２２、７２は省略してある。本例においては、方立３を、上枠１５と下枠１６との間を通してあり、方立３と両たて枠１７との間に無目７を組み込んである。そのため、図１の矢印Ｅで示す位置では、図示していないが、支持部材２２を含めた方立本体２３と支持部材７２を含めた無目本体７３とが近接している。
【００７０】
図１の矢印Ｅで示す位置では、図８及び図９に示すように、方立３の内部枠体２１（内部枠体２１２）に隣接して設けられた平板状の内部枠体２１１、２１４で無目７の内部枠体７６を挟み込んでいる。具体的には、内部枠体２１２の屈曲部２１２ｃに隣接して内部枠体２１１、７６１、２１４が設けられており、内部枠体２１１が内部枠体７６１の屈曲部７６１ｃに接触し、内部枠体２１４が内部枠体７６１の屈曲部７６１ｃに接触し、内部枠体２１１と内部枠体２１４とで内部枠体７６を挟み込んでいる。つまり、内部枠体７６の端面７６ｂ側が、図８及び図９示すように、内部枠体２１１、２１４の間に入り込む形で挟み込まれている。また、本例では、内部枠体７６の表面７６ｃは、内部枠体２１２の端部２１２ｂと近接又は接触している。そのため、内部枠体７６の端面７６ｂ（表面７６ｃ側も含め）は、内部枠体２１１、２１２、２１４によって挟み込まれて支持されている。
【００７１】
また、図８及び図９に示すように、本例で示す小型の断面略コ字状の内部枠体２１２等に隣接して取り付けられるのは、平板状の内部枠体２１１、２１４等である。具体的には、この平板状の内部枠体２１１、２１４は、図８及び図９に示すように、矩形形状の板状部材である。この平板状の内部枠体２１１、２１４の見込み方向の長さ（図８の矢印Ｇ方向）が異なるものを予め複数の種類用意しておき、ＦＩＸ窓１１、１２、１４、引違い窓１３の見込み方向の長さに合わせて、適切な平板状の内部枠体２１１、２１４等を選ぶことになる。本例では、一例として、ＦＩＸ窓１１、１２、１４の見込み方向の長さ１００ｍｍとし、引違い窓１３の見込み方向の長さが１４０ｍｍとしており、これらの窓１１、１２、１３、１４に基づいて連段窓構造を実現するために、適切な幅方向の長さを有する平板状の内部枠体２１１、２１４等を選択している。
【００７２】
なお、本例では、方立３の内部枠体２１（内部枠体２１２）に隣接して設けられた平板状の内部枠体２１１、２１４で無目７の内部枠体７６を挟み込んでいるが、無目７に隣接した平板状の内部枠体で方立３の内部枠体２１（内部枠体２１２）を挟み込むことも可能である。
【００７３】
（例２）
以上の例１では、小型の断面略コ字状の内部枠体２１２、７１１のみの構成か、小型の断面略コ字状の内部枠体２１２、７１１に平板状の内部枠体２１１等を隣接して設ける構成が示されているが、これらの構成に限定されるものではない。例２では、小型の断面略コ字状の内部枠体２１２の、互いに対向して方立本体２３、或いは無目本体７３を挟み込んで伸びる屈曲部２１２ｃ、７１１ｃの端部のいずれか一方に、連結される前記窓枠の見込み方向に沿って、平板状の内部枠体２１１が隣接して設けられた構成について説明する。
【００７４】
図１０においても、例１と同様に、断面略Ｌ字状に屈曲した、対称な形状をなす内部枠体２１２、２１２を組み合わせることにより、小型の断面略コ字状の内部枠体（第一内部枠体）２１２を形成している。本例では、図１０に示すように、窓枠２０、２１の見込み方向に沿い、連結される窓枠２０ａ、２０ｂに向かう、互いに対向して方立本体２３を挟み込んで伸びる小型の断面略コ字状の内部枠体２１２の屈曲部２１２ｃの端部の一方に隣接して平板状の内部枠体（第二内部枠体）２１１が設けられている。そして、内部枠体２１１、２１２、の内周面２１ａ側には、支持部材２２１、２２２、２２３が設けられている。図１０に示すように、内部枠体２１２に沿うように支持部材２２２が取り付けられ、内周面２１ａ側の方立本体２３の本体部２３２に沿うように、支持部材２２２，２２３が取り付けられている。さらに、方立本体２３の本体部２３２には、先端部２３１が断熱材４を介して取り付けられている。
【００７５】
以上のようにして、支持部材２２（支持部材２２１、２２２、２２３）が、内部枠体２１（内部枠体２１１、２１２）と方立本体２３（本体部２３２）との間に設けられ、固定具３により、支持部材２２（支持部材２２１、２２２、２２３）が方立本体２３（本体部２３２）側に取り付けられるともに、内部枠体２１（内部枠体２１１、２１２）側に取り付けられることで、方立本体２３（本体部２３２）を内部枠体２１（内部枠体２１１、２１２）に取り付けている。さらに、方立本体２３の先端部２３１の嵌合部２３１ａ、２３１ａは室外部材５の突出部５３、５３に嵌合し、方立本体２３の先端部２３１は室外部材５に取り付けられている。そして、断熱材４を介して、室外部材５に隣接して設けられた室内部材６が、固定具３により、支持部材２２３に取り付けられている。
【００７６】
つぎに、方立本体２３、支持部材２２、及び内部枠体２１の組立手順及び取付手順について図１０に基づいて説明する。まず、支持部材２２３を窓２０ａ、２０ｂのたて枠を構成する室内部材６に固定具３により取り付ける。小型の断面略コ字状の内部枠体２１２、２１２に支持部材２２２を固定具３により取り付ける。また、小型の断面略コ字状の内部枠体２１２に隣接する平板状の内部枠体２１１に支持部材２２１を固定具３により取り付ける。これにより、方立本体２３の本体部２３２に小型の断面略コ字状の内部枠体２１２、２１２及び平板状の内部枠体２１１に取り付けられる状態になる。
【００７７】
つぎに、方立２３の本体部２３２に、支持部材２２３が取り付けられた連結される窓枠２０ａのたて枠、窓枠２０ｂのたて枠、支持部材２２２が取り付けられた小型の断面略コ字状の内部枠体２１２、２１２及び支持部材２２１が取り付けられた平板状の内部枠体２１１を取り付ける（取付手順）。まず、方立本体２３の先端部２３１の平板部２３１ｂに設けられた断面略コ字状の嵌合部２３１ａ、２３１ａと室外部材５の突出部５３、５３とを嵌合させ、方立本体２３の本体部２３２に支持部材２２３を固定具３により取り付ける。また、方立本体２３の本体部２３２に、連結される窓枠２０ｂのたて枠を、固定具３により取り付ける。そして、小型の断面略コ字状の内部枠体２１２、２１２に取り付けられた支持部材２２２の嵌合部２２２ｅを方立本体２３の本体部２３２の嵌合部２３２ｅに嵌合させる。最後に、平板状の内部枠体２１１に取り付けられた支持部材２２１の端部２２１ｄを支持部材２２３の端部２２３ｅと嵌合する。以上により、方立本体２３の本体部２３２への小型の断面略コ字状の内部枠体２１２、２１２及び平板状の内部枠体２１１の取り付けが完了する。
【図面の簡単な説明】
【００７８】
【図１】本発明の例１であるサッシ連結構造を連段窓構造を示す説明図である。
【図２】図１のＡ−Ａ線に沿う断面を示す説明図である。
【図３】図２に示す支持部材と内部枠体との詳細を示す説明図である。
【図４】図１のＡ−Ａ線に沿う断面の詳細を示す説明図である。
【図５】図１のＢ−Ｂ線に沿う断面を示す説明図である。
【図６】図１のＣ−Ｃ線に沿う断面を示す説明図である。
【図７】図１のＤ−Ｄ線に沿う断面を示す説明図である。
【図８】方立と無目との交差する位置を側方から示す説明図である。
【図９】方立と無目との交差する位置での概略構造を示す説明図である。
【図１０】本発明の例２であるサッシ連結構造の断面示す説明図である。
【図１１】従来の、方立による結合部分を示す断面図である。
【図１２】従来の、無目による結合部分を示す断面図である。
【符号の説明】
【００７９】
１…サッシ連結構造
１１、１２、１４…ＦＩＸ窓、１１ａ、１２ａ、１４ａ…ガラス、１３…引違い窓、１３ａ…引違い障子、１５…上枠、１６…下枠、１７…たて枠、２０ａ、２０ｂ…窓枠
２…方立、２１…内部枠体、２１１…内部枠体（平板状の内部枠体（第二内部枠体））、２１１ｂ１、２１１ｂ２…段部、２１１ｃ…凹部
２１２…内部枠体（小型の断面略コ字状の内部枠体（第一内部枠体））、２１２ａ、２１２ｂ…端部、２１２ａ１、２１２ｂ１、２１２ａ２、２１２ｂ２…段部、２１２ｃ…屈曲部、２２…支持部材、２２１、２２２、２２３、２２４、２２５、２２６、２２７…支持部材、２２１ａ、２２１ｂ、２２１ｄ…端部、２２１ｃ…凹部、２２２ａ、２２２ｂ…端部、２２２ｃ…爪部、２２２ｅ…嵌合部、２２３ａ、２２３ｂ、２２３ｅ…端部、２２３ｃ…平板部、２２３ｄ…端面、２２６ｃ…凹部、２２６ｄ…端面、２２７ｄ…端面
２３…方立本体、２３１…先端部、２３１ａ…断面略コ字状の嵌合部、２３１ｂ…平板部、２３２…本体部、２３２ａ、２３２ｂ…端部、２３２ｃ…隙間部、２３２ｄ…断面略コ字状の爪部、２３２ｅ…嵌合部、２２４ａ…断面略コ字状の凹部、２２５ａ…端部、２２６ａ…端部、２２７ａ…端部
３…固定具、３ａ…頭部
４…断熱材
５…室外部材、５ａ、５ｂ…端部、５２…断面略コ字状の突出部、５３…突出部、
６…室内部材、６ａ…端部、６１…断面略コ字状の突出部、６２、６３…端面
７…無目、７１、７６…内部枠体、７１ａ…内周面、７１１、７６１…内部枠体、７１１ｃ…屈曲部
７２１…支持部材、７２１ａ…端部、７２２、７２３、７２４…支持部材、
７３…無目本体、７３１…先端部、７３１ａ…断面略コ字状の嵌合部、７３２…本体部、７３２ａ…断面略コ字状の凹部、７６ａ…内周面、７６ｂ…端面、７６ｃ…表面、７６１ｃ…屈曲部
８…室外部材、８３…突出部
９…室内部材
【図１】
0005144140.tif 000002
【図２】
0005144140.tif 000003
【図３】
0005144140.tif 000004
【図４】
0005144140.tif 000005
【図５】
0005144140.tif 000006
【図６】
0005144140.tif 000007
【図７】
0005144140.tif 000008
【図８】
0005144140.tif 000009
【図９】
0005144140.tif 000010
【図１０】
0005144140.tif 000011
【図１１】
0005144140.tif 000012
【図１２】
0005144140.tif 000013